(57)【要約】【課題】適用範囲を改善した駆動システムの機器を監視する方法及び装置の提供。【解決手段】前記方法は、駆動システムにおいて、回転可能に配置された回転素子１０及び回転素子１０に装着された検出器３０を含んで構成された機器を監視するため、前記検出器３０により構造に由来する音波を検出信号として検出する工程、前記検出信号から衝突に影響されない信号部分を抽出する工程、抽出された信号部分を参照パラメータと比較して評価する工程を含んでいる。前記比較に基づいて、前記機器に劣化が存在するか否かが決定される。【選択図】図１
2016148662.tif 000002
【特許請求の範囲】
【請求項１】
駆動システムにおいて、検出器（３０）を装着した回転可能に配置した回転素子（１０）を有する機器を監視する方法であって、
前記検出器により構造に由来する音波を検出信号として検出する工程、
前記検出信号から非衝突信号部分を抽出する工程、
抽出された前記信号部分を参照パラメータと比較する工程、及び
前記比較を基に前記機器が劣化しているか否かを決定する工程を含むことを特徴とする駆動システムの機器を監視する方法。
【請求項２】
さらに、前記検出信号を少なくとも１つの予め規定した周波数域に限定する工程を含むことを特徴とする請求項１に記載の駆動システムの機器を監視する方法。
【請求項３】
さらに、前記検出信号を下限が２０ｋＨｚ且つ／又は上限が２ＭＨｚである周波数域に限定する工程を含むことを特徴とする請求項１又は２に記載の駆動システムの機器を監視する方法。
【請求項４】
予め規定した閾値を超える前記信号部分の数を数える工程を含むことを特徴とする請求項１ないし請求項３のいずれか１項に記載の駆動システムの機器を監視する方法。
【請求項５】
前記信号部分に基づくパラメータを前記パラメータの時系列展開と参照する工程、
異なった時間間隔に対する前記信号部分に基づいた前記パラメータのそれぞれの勾配を決定する工程、及び
前記それぞれの勾配を比較して、前記駆動システムに劣化が存在するか否かを決定する工程を含むことを特徴とする請求項１ないし請求項４のいずれか１項に記載の駆動システムの機器を監視する方法。
【請求項６】
駆動システムにおいて、回転素子（１０）が回転可能に装着された機器を監視する請求項１ないし５のいずれか１項に記載の方法を実行する装置であって、
前記回転素子（１０）に配置され、受動的な構造に由来する音波を検出信号として検出する検出器（３０）、及び
前記検出器（３０）から伝送された検出信号を評価する評価装置（１００）を含んで構成されることを特徴とする駆動システムの機器を監視する装置。
【請求項７】
前記検出信号に基づいた信号を伝送する前記回転素子（１０）に備えられた無線伝送手段（５０）、及び
前記無線伝送手段（５０）から伝送された信号を受信する前記評価装置（１００）に連結された静止無線受信手段（６０）を含んで構成されることを特徴とする請求項６に記載の駆動システムの機器を監視する装置。
【請求項８】
前記無線伝送手段（５０）が光送信器であり、前記無線受信手段（６０）が光受信器であることを特徴とする請求項７に記載の駆動システムの機器を監視する装置。
【請求項９】
前記検出器（３０）は、前記回転素子（１０）に連結され構造に由来する音波信号を受信する音波センサ（３１）を含んで構成されることを特徴とする請求項６ないし請求項８のいずれか１項に記載の駆動システムの機器を監視する装置。
【請求項１０】
前記検出器（３０）は、受信した構造に由来する音波信号を処理する信号処理回路（４０）を含んで構成されることを特徴とする請求項６ないし請求項９のいずれか１項に記載の駆動システムの機器を監視する装置。
【請求項１１】
エネルギーを無線伝送する静止した送信器（７０）、及び
前記送信器（７０）から伝送されたエネルギーを受信して少なくとも前記検出器（３０）にエネルギーを供給する前記検出器（３０）に連結された受信器（８０）を含んで構成された請求項６ないし請求項１０のいずれか１項に記載の駆動システムの機器を監視する装置。
【発明の詳細な説明】
【技術分野】
【０００１】
本発明は、駆動システムの機器を監視する方法並びに監視する装置に関する。
【背景技術】
【０００２】
先行技術から、駆動システムの部品の摩耗又は損傷状態に関わる判定を下す機器及び方法は周知である。特許文献１には、音波発生装置により検査すべき構成部品に音波を当てて構成部品を音響試験を最初に実行したシステムが開示されている。センサにより測定された音波信号により、構成部品の機械的な状態に関する判定が可能となる。
【先行技術文献】
【特許文献】
【０００３】
【特許文献１】米国特許出願公開第２０１１／０１４２６２１号明細書
【発明の概要】
【発明が解決しようとする課題】
【０００４】
本発明は、例えばモータ又は変速機などの駆動システムの機器を監視する、改善された方法又は装置を提案することを課題としている。特に、簡単な手段を用いて、従来の解法に比べて監視の適用範囲を改善する必要がある。
【課題を解決するための手段】
【０００５】
上記課題は、下記（１）〜（５）に記載の駆動システムの機器を監視する方法並びに下記（６）〜（１１）に記載の駆動システムの機器を監視する装置により解決される。
【０００６】
（１）駆動システムにおいて、検出器を装着した回転可能に配置した回転素子を有する機器を監視する方法であって、前記検出器により構造に由来する音波を検出信号として検出する工程、前記検出信号から非衝突信号部分を抽出する工程、抽出された前記信号部分を参照パラメータと比較する工程、及び前記比較を基に前記機器が劣化しているか否かを決定する工程を含むことを特徴とする駆動システムの機器を監視する方法。
【０００７】
（２）さらに、前記検出信号を少なくとも１つの予め規定した周波数域に限定する工程を含むことを特徴とする前記（１）に記載の駆動システムの機器を監視する方法。
【０００８】
（３）さらに、前記検出信号を下限が２０ｋＨｚ且つ／又は上限が２ＭＨｚである周波数域に限定する工程を含むことを特徴とする前記（１）又は（２）に記載の駆動システムの機器を監視する方法。
【０００９】
（４）予め規定した閾値を超える前記信号部分の数を数える工程を含むことを特徴とする前記（１）ないし（３）のいずれか１項に記載の駆動システムの機器を監視する方法。
【００１０】
（５）前記信号部分に基づくパラメータを前記パラメータの時系列展開と参照する工程、異なった時間間隔に対する前記信号部分に基づいた前記パラメータのそれぞれの勾配を決定する工程、及び前記それぞれの勾配を比較して、前記駆動システムに劣化が存在するか否かを決定する工程を含むことを特徴とする前記（１）ないし（４）のいずれか１項に記載の駆動システムの機器を監視する方法。
【００１１】
（６）駆動システムにおいて、回転素子が回転可能に装着された機器を監視する前記（１）ないし（５）のいずれか１項に記載の方法を実行する装置であって、前記回転素子に配置され受動的な構造に由来する音波を検出信号として検出する検出器、及び前記検出器から伝送された検出信号を評価する評価装置を含んで構成されることを特徴とする駆動システムの機器を監視する装置。
【００１２】
（７）前記検出信号に基づいた信号を伝送する前記回転素子に備えられた無線伝送手段、及び前記無線伝送手段から伝送された信号を受信する前記評価装置に連結された静止無線受信手段を含んで構成されることを特徴とする前記（６）に記載の駆動システムの機器を監視する装置。
【００１３】
（８）前記無線伝送手段が光送信器であり、前記無線受信手段が光受信器であることを特徴とする前記（７）に記載の駆動システムの機器を監視する装置。
【００１４】
（９）前記検出器は、前記回転素子に連結され構造に由来する音波信号を受信する音波センサを含んで構成されることを特徴とする前記（６）ないし（８）のいずれか１項に記載の駆動システムの機器を監視する装置。
【００１５】
（１０）前記検出器は、受信した構造に由来する音波信号を処理する信号処理回路を含んで構成されることを特徴とする前記（６）ないし（９）のいずれか１項に記載の駆動システムの機器を監視する装置。
【００１６】
（１１）エネルギーを無線伝送する静止した送信器、及び前記送信器から伝送されたエネルギーを受信して少なくとも前記検出器にエネルギーを供給する前記検出器に連結された受信器を含んで構成された前記（６）ないし（１０）のいずれか１項に記載の駆動システムの機器を監視する装置。
【発明の効果】
【００１７】
本発明により、モータ又は変速機などの駆動システムの機器を監視する、改善された方法又は装置を提供できるようになった。また、簡単な手段を用いて、従来の解法に比べて監視の適用範囲が改善されることとなった。
【図面の簡単な説明】
【００１８】
【図１】本発明の一実施例による好適な装置の側断面模式図
【図２】本発明による装置を装着したラックアンドピニオン配列の模式図
【図３】本発明による好適な装置及び方法により評価されたセンサ測定データを示す典型的なグラフ
【発明を実施するための形態】
【００１９】
本発明の一態様によれば、駆動システムの機器を監視するための方法が提供され、該機器には、構造に由来する音波を検出信号として検出する検出器が装着されて回転可能に配置された回転素子を備えている。検出信号から非衝突信号部分が抽出されて、参照パラメータと比較して、システムの劣化が存在するか否かが決定される。
【００２０】
別の態様によれば、本発明は駆動システムの機器を監視する装置に関し、該機器には、受動的な構造に由来する音波を検出信号として検出する検出器が装着されて回転可能に配置された回転素子及び上記の方法を実行する評価装置を備えている。評価装置は、信号伝送できるように検出器と連結している。
【００２１】
特徴的な方法においては、非衝突信号部分が抽出される。構造に由来する音波信号に関しては、本発明による方法は、特徴的に受動的な方法である。意図的又は外部からの衝突音、例えば試験用の音波信号を用いての試験は行わないことが特徴的である。診断する音波部分は、特徴的に監視される機器の音波励起（ｓｏｕｎｄ  ｅｘｃｉｔａｔｉｏｎｓ）によってのみ展開する。特徴的な実施態様では、駆動システムの機器の通常の操作により、抽出された信号部分のみが展開する。
【００２２】
ある実施態様では、能動的な音波の付加を必ずしも必要しないとの利点がある。ある実施態様では、駆動システムの機器を監視する方法は、駆動システムの機器が作動中に実行できるとの利点がある。
【００２３】
検出信号を抽出する際には、検出信号は予め規定した少なくとも１つの周波数域に限定される。このため、抽出には例えば、検出信号を１つの周波数域に限定するフィルタリング、帯域フィルタリング又は平均化フィルタリングを用いてもよい。前記周波数域への統合的変換が可能であり、対象とする周波数の選択が行われる。さらに、別の実施態様では、評価のため、複数の、例えば２又は３以上の不連続の副次周波数域が、大きな周波数域から抽出される。これによって、評価に際して、例えば外乱変数（ｄｉｓｔｕｒｂａｎｃｅ  ｖａｒｉａｂｌｅ）などの対象外のパラメータに関連する周波数を考慮しなくてもよい。
【００２４】
検出信号は構造に由来する音波信号なので、本発明の一態様によれば、必要に応じて不連続の副次周波数域に分割された予め規定された周波数域の下限は、２０ｋＨｚである。もう一方、又はさらには、予め規定された周波数域の上限は、２ＭＨｚである。予め規定された周波数域の下限は、５０ｋＨｚ又は１００ｋＨｚであることが好ましい。もう一方、又はさらには、予め規定された周波数域の上限は、１ＭＨｚ又は３００ｋＨｚであることが好ましい。
【００２５】
本発明の一態様によれば、抽出した信号部分と参照パラメータを比較する過程において、例えば検出信号の実効値を形成すること又は例えば尖度を決定する統計的な方法により、データの削減が行われる。ある場合には、診断すべき周波数域内にあり且つ所定の閾値を超えた放出信号（ｅｍｉｓｓｉｏｎ  ｓｉｇｎａｌ）は全て、いわゆるサウンド・イベントと見なされる。このようなサウンド・イベントは、比較的に急勾配であり、診断した周波数スペクトルにおいては、周波数選択ピーク（ｆｒｅｑｕｅｎｃｙ−ｓｅｌｅｃｔｉｖｅ  ｐｅａｋ）、すなわち、診断時又は診断の間において連続する周波数のレベルを明らかに上回る信号レベルとして認識することができる。この時間域内に、もし周波数に依存するフィルタリングに続く時間域に適合させても、このようなサウンド・イベントは、周波数選択ピーク、すなわち、診断時又は連続する診断時の間において周波数のレベルを明らかに上回る信号レベルを示す。
【００２６】
信号を診断するために、信号を複数の時間間隔に分割してもよい。一般に、診断の時間間隔は、少なくともサウンド・イベントと同じ、例えば１秒、５００ミリ秒又は１００ミリ秒である。サウンド・イベントの持続時間は、信号のエンベロープ（ｅｎｖｅｌｏｐｅ）が所定の閾値よりも大きい時間の間隔であることが特徴的である。診断が連続的に繰り返されることも特徴的である。特徴的には、１つの時間間隔において、抽出した信号部分の診断が完了した後、引き続き抽出した信号の別の複数の診断が行われる。それぞれの診断時間は、等しい時も異なる時もある。
【００２７】
実施態様によっては、周波数選択ピークが存在する時間間隔において、抽出した信号が診断される。
【００２８】
周波数選択ピークは、ピーク周波数の少なくとも±５０％、又は±３０％又は±１０％の範囲におけるレベルを明らかに超えることが特徴的である。超えているのが明瞭な場合には、周波数選択ピークの振幅は、診断時間内の信号パターンにおけるレベルの振幅よりも、少なくとも５０％又は３０％又は１０％高い。実施態様によっては、周波数選択ピークの振幅は、超えているのが明瞭な場合には、少なくとも２つの診断時間の平均レベルの振幅よりも、少なくとも５０％又は３０％又は１０％高いのが特徴的である。
【００２９】
抽出した音波信号の上り勾配又は下り勾配が次の式を満たす時には、サウンド・イベントは、急勾配であることが特徴的である。
2016148662.tif 000003
上記式において、Δｔは、上り勾配又は下り勾配の時間間隔である。Ｂは、励起している信号の帯域幅及び／又は伝送媒体、例えば伝送路の帯域幅である。Ｃは、定数で一般には０．２〜０．５の値を選ぶ。特徴的な実施態様では、Ｃ＝０．３５である。励起している信号及び伝送路の帯域幅Ｂが例えば１００ｋＨｚであり、抽出した音波信号の上り勾配又は下り勾配の時間間隔Δｔが３．５マイクロ秒又はそれ以下である場合には、サウンド・イベントは急勾配となる。
【００３０】
実施態様によっては、抽出した音波信号の上り勾配又は下り勾配の時間間隔が長くとも５０マイクロ秒又は長くとも５マイクロ秒又は長くとも０．５マイクロ秒である場合にはサウンド・イベントは急勾配となる。実施態様によっては、抽出した音波信号の正方向又は負方向へのオーバシュートの勾配の大きさを診断する。
【００３１】
１つの態様に対して、サウンド・イベントが数えられる。一般的な実施態様では、固定された時間間隔内のサウンド・イベントが数えられる。実施態様によっては、固定された時間間隔は、作動中は不変である。実施態様によっては、固定された時間間隔は、例えば予め規定されるか又は規定可能な診断パターンに応じて、作動中に変更できる。例えば予め規定されるか又は規定可能な診断パターンは、例えば種々の固定された時間間隔が周期的又は非周期的なシーケンスを示してもよい。シーケンスは、例えば少なくとも１秒の間に１つ又は複数の時間間隔、又は少なくとも１００ミリ秒の間に１つ又は複数の時間間隔を示してもよい。連続的な評価では、検出信号を時間平均することが特徴的である。特徴的な実施態様においては、例えば検出器のサンプリング率（ｒａｔｅ）又はタイマーにより生成された率（ｒａｔｅ）に相当する評価時間単位当たりのイベントの集計が行われる。合計されたイベントの時系列展開の評価により、駆動システムの監視対象機器の現在の状態に関する判定を引き出すことが可能となり、この判定から、駆動システム、すなわち駆動システムのそれぞれの機器の故障の予想が得られる。
【００３２】
１つの態様によれば、信号部分に基づいたパラメータ、すなわち検出信号から抽出した非衝突の信号部分から引き出されるか、又は引き出し可能なパラメータは、検出信号の時間的な過程と参照する。信号部分に基づくパラメータは、信号部分自身でもよい。特徴的には、種々の時間間隔に対して、信号部分に基づくパラメータの勾配が決定される。種々の時間間隔は、時間の経過の中の種々の時期における始動又は終了の時間間隔である。種々の時間間隔は、同じ持続期間でもよい。種々の時間間隔は、種々の持続期間、又は部分的に異なった持続期間でもよい。
【００３３】
特徴的には、複数の勾配、すなわち種々の時間間隔が持続する間の１つの時間間隔に対して決定されるそれぞれの勾配が比較される。この比較は、システムに機械的な劣化が存在するか否かを決定するのに用いることができる。
【００３４】
特徴的な実施態様によっては、時間間隔は検出器のサンプリング周波数から引き出される。一般的には、時間間隔は、検出器のサンプリング周波数に相当する。あるいは、検出器のサンプリング周波数に関係なく、例えば外部のタイマー又は別に存在するタイマーにより、時間間隔に対するクロックが生成される。
【００３５】
特徴的な実施態様においては、複数の時間間隔における信号部分が集計され、集計値は、時間の経過に関する。実施態様によっては、この集計値は、時間の経過に関するサウンド・イベントの合計である。
【００３６】
特徴的な実施態様によっては、信号部分に基づくパラメータの勾配が決定される。この場合には、用語「勾配」は技術的に解釈されるべきである。このように、必ずしも勾配は厳密に数学的に決めることはなく、信号部分に基づく間欠的な時間のパラメータの場合には、むしろ隣接するサンプリング時期におけるパラメータの差異を算出して、勾配を概算で決定してもよい。
【００３７】
この勾配の時間の経過、例えば「キンク」は、駆動システムの機器又は駆動システムの他の部品が劣化しているかどうかとの比較においての決定を可能とする。
【００３８】
特徴的な実施態様においては、検出器は駆動システムの構造部材に配置される。駆動に関連する力及び／又はモーメントは、この構造部材に作用する。これにより、正確な監視が保証される。駆動システムの例としては、モータ又は変速機が挙げられる。別の形式の駆動システム又は上記例の亜種（ｓｕｂｔｙｐｅ）を提供してもよい。例えば、駆動システムの一例としてのモータは、電動モータとして、例えば、同期モータ、非同期モータ又はサーボモータとして構成してもよい。モータは、油圧駆動モータ、ラジアルピストンモータ又はアキシアルピストンモータなどの非電動モータとして構成してもよい。駆動システムの一例としての変速機は、例えば直線状変速機（ｌｉｎｅａｒ  ｇｅａｒ）、遊星歯車、鎖伝動装置（ｃｈａｉｎ  ｇｅａｒ）として又は他の静圧（ｈｙｄｒｏｓｔａｔｉｃ）、あるいは流体（ｈｙｄｒｏｄｙｎａｍｉｃ）変速機として構成してもよい。例えば上記モータから選ばれた、１つのモータと、例えば上記変速機から選ばれた１つの変速機との組み合わせ、例えばラックアンドピニオン駆動装置としての駆動システムでもよい。
【００３９】
特徴的な実施態様における評価装置は、ここに記載した方法を実行するように、特に検出信号から非衝突の信号部分を抽出し、抽出された信号部分を参照パラメータと比較して、その比較により駆動装置が劣化しているかどうかを決定するように設計されている。
【００４０】
別の態様では、検出器と評価装置との間の通信に、無線伝送手段を備えている。この無線伝送手段は、一般的には回転素子に配置されて検出信号に基づいた信号を送信するのに供する。一方、無線伝送手段からの信号を受信するために供する静止した無線受信手段が、評価装置に連結されている。
【００４１】
実施態様によっては、検出信号に基づいた伝送信号は、検出信号自体である。別の実施態様では、ここに記載した方法の一部は既に回転素子側において、例えば信号前処理の形で実行されている。ある実施態様では、この一部には、例えば検出信号から非衝突の信号部分を抽出することを含んでもよい。例として、回転素子側において実行された離散化、変調又はフィルタリングは、存在する可能性のある全ての信号ノイズが送信中に増大しない結果となる。例えば、回転素子側における離散化、変調又はフィルタリングの結果として、一般的には信号対ノイズの比率が改善される。
【００４２】
実施態様によっては、上述の方法のより複雑な部分、特に比較又は決定が評価装置において行われる。静止した評価装置は、複雑な、例えば処理能力的にもエネルギー的にも集約された部品、又は嵩張る部品を収納するのに適しており、一方、検出信号を直接に検出することができる回転素子の検出器は、その目的に必要な部品を有していることを特徴とする。このことにより、装置の誤差に対する感受性が減じ、駆動システムへの悪影響を減ずることができる。
【００４３】
回転素子から静止した評価装置への検出信号の無線伝送により、回転素子に収納された僅かな数の部品を使用して、データの伝送が簡単にできるようになる。特徴的な実施態様では、費用効果が良好である。無線伝送が行われる信号処理チェーンにおける場所を選ぶことにより、大きな柔軟性が得られる。
【００４４】
実施態様によっては、評価装置は参照パラメータとの比較により機械システムの損傷又は劣化が在るか否かを決定するように設計されている。
【００４５】
換言すれば、評価装置は、比較により駆動システムの監視中の機器の現在の状態を評価することになる。これを基に、例えば損傷を集積する方法などの周知の処理方法とは異なって、機器の現実の状態を無視することなく、機器の故障の予想を出すこともできる。
【００４６】
実施態様によっては、無線伝送手段は、光送信器である。実施態様によっては、無線受信手段は、光受信器である。光信号伝送により、有用な信号に対して伝送帯域幅を大きくすることが可能となる。一般的には、光信号伝送においては、ノイズ比が大きい。
【００４７】
実施態様によっては、回転素子は歯車であり、ピニオンでもよい。好適には、駆動システムの機器は、ラックアンドピニオン駆動装置である。
【００４８】
ピニオンを用いる場合に、ピニオンは少なくとも１つの歯付きのラックと機械的に共動、すなわちピニオンとラックにより形成された機械システムは、評価装置により評価される。従来は、駆動システムの静止した複数の素子、例えば複数のラックのそれぞれにセンサを準備した。本発明による実施態様では、駆動装置の機器を監視するのに、回転素子に単一のセンサを要するのみである。
【００４９】
実施態様によっては、検出器は、構造由来の音波を受信する、回転素子に固定されるように連結された音波センサである。直接に且つ減衰が無く構造由来の音波が音波センサへ伝送される。特徴的には、高感度の検出及び低ノイズ部品が可能である。評価精度が改善されることも特徴的である。
【００５０】
実施態様によっては、検出器は、受信した構造由来の音波を処理する信号処理回路を備えている。信号処理回路により、検出信号を調節すること、例えば事前にフィルタリングすることができる。無線伝送に特別な処置、例えば変調過程などを適用してもよい。実施態様によっては、評価装置の一部を信号処理装置に組み込んでもよい。無線伝送路が故障を受け易いとの可能性に関しては、評価装置の組み込んだ部分において、検出信号のデータをフィルタリング、増幅及び／又は削減してもよい。
【００５１】
実施態様によっては、評価装置はエネルギーを無線で伝送する静止した送信器を備えている。回転素子に備えられた受信器は、検出器に連結されて、静止した送信器から無線でエネルギーを受信して検出器に給電する。
【００５２】
換言すれば、静止し且つエネルギーが供給される送信器並びに回転素子に配置されて検出器にエネルギーを供給する受信器を備えたエネルギー伝送機器が備えられていることになる。回転素子から静止した評価装置への有用な信号の伝送と同様に、検出器及び／又は隣接する回転する部品などへのエネルギー供給も無線で行われる。
【００５３】
上述のように、光連結を介して無線通信が行う場合は、エネルギー伝送には誘導伝送路が適している。ノイズ比については、この伝送路は光伝送路には殆んど影響を及ぼさず、効率的なエネルギー転送が可能である。検出器自体には、例えば電池などのような、エネルギー源を組み込む必要はない。
【００５４】
検出器用に、間断なく連続するエネルギー源、すなわち永久エネルギー源を選択する場合には、検出器自体の信号出力を連続的（すなわち、時間的に連続か又は間欠的に）に行ってもよい。特徴的には、評価装置において、検出信号を連続的に評価してもよい。特徴的には、エネルギーの貯蔵及び／又は評価結果及び／又は観測間隔が実行される。
【実施例】
【００５５】
以下、図面を用いて本発明による好適な実施例の特徴及び長所を説明する。
【００５６】
図１は、本発明の一実施例による好適な装置の側断面模式図を示す。
【００５７】
図１には、監視される駆動システムの機器の一部が示され、図１の典型的な実施態様は、運転時にはラックと噛み合う（図１には示されていない）ピニオン形状の回転素子１０である。
【００５８】
図２からより詳細に判るように、回転素子１０としてのピニオンは、第１のラック１２のラック配列と連結中であり、第１のラックに第２のラック１３が隣接している。
【００５９】
図１から回転素子１０は、後述する評価装置１００及び無線受信手段６０、並びに必要に応じて配する不図示の静止した素子に対して回転可能に配置されていることが判る。この場合、「静止」とは、回転素子１０に対しての意味であり、すなわちそれぞれの静止した素子は、例えば駆動システムを収納している機器に関しては、他の静止した素子に対して可動でもよい。
【００６０】
回転素子１０内の検出器座２０には、構造に由来する音波信号を検出し且つ同じく回転素子１０内に配置された信号処理回路４０に、検出信号の形式で信号パラメータとして前記音波信号を送信する検出器３０が載置されている。検出器３０は検出器座２０により回転素子１０に機械的に固定されているので、回転素子１０は、構造に由来する音波信号、すなわち回転素子１０内を伝播する音波信号を直接に検出可能となる。
【００６１】
検出器３０は、音波センサ３１を備え、該音波センサは回転素子１０に固定されて構造に由来する音波信号を受信する。図１に示す実施例では、評価装置１００は無線でエネルギーを伝送する静止した送信器７０を備えている。回転素子１０には、無線により送信器７０からのエネルギーを受信して検出器３０にエネルギーを供給する、検出器３０と連結されている受信器８０を備えている。
【００６２】
機械的なシステム、すなわち駆動システムにおいて、例えば疲労破損に先立つ割れ形成などシステムの状態の劣化につながる事象が発生すると、注目すべき構造に由来する音波信号（アコースティク・エミッション、ＡＥ）は、基本的にはパルス形状の励起進行を示し且つ立ち上がる。検出するのが困難な誤差の原因、例えばピニオンとラック間の不十分な潤滑又は例えばレーザ処理機器において粗い埃が生じた場合にも、このことが、好適な装置、それぞれに好適な方法により、駆動装置の機器の正確な監視を可能とする。
【００６３】
図１の実施例は、信号処理回路４０において、検出信号の予備フィルタリング及び平滑化が完了した後に初めて検出信号が評価されることを示している。このようにして検出信号から取出された伝送信号は、無線伝送手段５０により、上方に位置して静止側に装着された無線受信手段６０へと伝送される。無線受信手段６０は、回転素子１０に対して静止している。次いで、無線受信手段６０は、伝送された信号を有線又は無線により、上方の評価装置１００に伝送信号を送信する。
【００６４】
評価装置１００は、上記のように伝送された信号から信号部分を抽出して参照パラメータと比較することにより伝送された信号を評価する。
【００６５】
しかしながら、信号処理回路４０によって抽出、例えばフィルタリング、の大部分を行ってもよい。システムに特徴的な信号部分及び考えられる劣化の種類を診断する。例えば、構造に由来する音波信号が伝播できる予め規定した周波数域を診断する。予め規定した可能な周波数域のこの場合の下限値は、２０ｋＨｚ又は５０ｋＨｚ又は１００ｋＨｚである。また、上限値は、３００ｋＨｚ又は１ＭＨｚ又は２ＭＨｚである。
【００６６】
検出器の特質に関しては、例えば連続した時間で作動し且つ検出値が連続的である（アナログ）検出器、間欠的な時間で作動し且つ検出値が量子化された（デジタル）検出記などが可能である。
【００６７】
評価装置１００は、送信された検出信号を抽出し、抽出されたデータを統計的な方法により削減する。この場合、サウンド・イベントは数えられて集計され、評価のそれぞれの時間のサイクル数に割り当てられる。サウンド・イベントは、（周波数に依存する可能性のある）予め規定した振幅の閾値を超えた全ての検出信号である。
【００６８】
図３は、評価の結果を示すグラフである。図示した例では、サイクル数が５０，０００を超えると、サイクル当たりのサウンド・イベントが著しく増加している。評価装置１００は、イベントの履歴から故障の時期を予想する。
【００６９】
本実施例では、診断の時間間隔ごとに、この信号進行の勾配が評価される。間欠的な時間における値が診断されるので、時系列の隣接した信号値の差により勾配が近似される。
【００７０】
このようにして得られた勾配の曲線に、特徴的な「キンク」、例えば勾配の特徴的な増大、が識別されると、例えば駆動システムの重大な故障であると決定してもよい。特徴的な「キンク」は、合理的な近似でもピッチの描く線が直線でない範囲と解釈してもよく、したがって信号進行は、非線形的に増大する。「キンク」は、必ずしも微分不可能である必要はない。信号の勾配が規定又は規定可能な閾値を超えるとの信号の単調に増大する関数の存在は、例えば特徴的な「キンク」の存在に十分である。「キンク」が予想される閾値は、例えば数時間の観察の間に２５％以上の勾配の変化である。「キンク」の時系列における位置は、信号の振幅高さには依存せず、それぞれが頑丈（ｒｏｂｕｓｔ）である。
【００７１】
閾値は、実験的に決定してもよい。検出器３０は、回転素子１０に装着されている。回転素子１０とは異なった他の素子の予想される故障時間についても決定できる。
【００７２】
回転素子１０は、それぞれのラック１２、１３に連結されている。検出器は回転素子１０に装着されている。監視、例えば耐用期間に渉る監視は、１つの検出器３０により、１つの駆動システムの複数の構成部品ばかりでなく、数個の駆動システムに対しても可能である。
【符号の説明】
【００７３】
１０    回転素子
１２    第１のラック
１３    第２のラック
２０    検出器座
３０    検出器
３１    音波センサ
４０    信号処理回路
５０    無線伝送手段
６０    無線受信手段
７０    送信器
８０    受信器
１００  評価装置
【図１】
2016148662.tif 000004
【図２】
2016148662.tif 000005
【図３】
2016148662.tif 000006
【外国語明細書】
2016148662000001.pdf